(57)【特許請求の範囲】
【請求項１】
液体を収容可能な液体収容部と、
前記液体収容部の一部を構成する面であって、前記液体収容部外から前記液体収容部内を視認可能、且つ、前記液体収容部に収容される液体の鉛直方向における液面位置を視認可能な視認面と、
前記液体収容部の一部を構成する面であって、前記視認面と交差する方向に延びる２つの面と、
前記視認面を介して視認可能に設けられ、前記液体収容部内に収容される液体の色とは異なる色相の色を呈している異色部材と、を備え、
前記液体収容部は、前記異色部材が取り付けられる取付部を、前記液体収容部内に有し、
前記取付部は、前記２つの面の一方から他方に向かう方向に延びる溝を有し、
前記異色部材は、前記液体収容部とは別体に構成され、且つ、前記異色部材の少なくとも一部が前記液体収容部内において前記視認面と対向するように前記取付部の前記溝に係合して取り付けられていることを特徴とする液体収容体。
【請求項２】
前記異色部材は、少なくとも前記視認面と対向する側の面に光沢を有することを特徴とする請求項１に記載の液体収容体。
【請求項３】
前記異色部材は、少なくとも前記視認面と対向する側の面が湾曲していることを特徴とする請求項１又は請求項２に記載の液体収容体。
【請求項４】
前記異色部材は、前記視認面に対して交差するように延びる面を有することを特徴とする請求項１又は請求項２に記載の液体収容体。
【請求項５】
前記異色部材は、前記視認面と平行に設けられていることを特徴とする請求項１又は請求項２に記載の液体収容体。
【請求項６】
前記異色部材は、鉛直方向において、少なくとも前記視認面の上端から下端に亘って長尺に設けられていることを特徴とする請求項１乃至請求項５のうち何れか一項に記載の液体収容体。
【請求項７】
液体を収容可能な液体収容部と、
前記液体収容部の一部を構成する面であって、前記液体収容部外から前記液体収容部内を視認可能、且つ、前記液体収容部に収容される液体の鉛直方向における液面位置を視認可能な視認面と、
前記液体収容部の一部を構成する面であって、前記視認面と対向する背面と、
前記視認面を介して視認可能に設けられ、前記液体収容部内に収容される液体の色とは異なる色相の色を呈している異色部材として機能する壁部材と、
前記液体収容部内に向けて開口し、前記液体収容部内に液体を注入可能とする注入口と、を備え、
前記壁部材は、
前記視認面と前記背面との間に配置され、前記視認面と対向する第１の壁と、
前記注入口の下方において前記注入口と前記第１の壁との間に配置され、且つ、上下方向と交差する方向において前記視認面側より前記背面側が低くなるように傾斜する第２の壁と、を有することを特徴とする液体収容体。
【請求項８】
前記壁部材は、前記視認面と対向する側の面に光沢を有することを特徴とする請求項７に記載の液体収容体。
【発明の詳細な説明】
【技術分野】
【０００１】
本発明は、例えば液体を用いて印刷を行うインクジェット式プリンターなどの印刷装置に供給される液体を収容する液体収容体に関する。
【背景技術】
【０００２】
従来から、媒体に対して液体の一例であるインクを用いて印刷を行うインクジェット式プリンター及びこうしたプリンターに対して供給されるインクを収容するインクカートリッジやインクタンク等の液体収容体が知られている。特許文献１には、外装の一部を透明に設けることで、液体収容体に収容されるインクの液量を視認可能としたインクタンクを備えるプリンターが記載されている。
【先行技術文献】
【特許文献】
【０００３】
【特許文献１】特開２００４−１４２３２５号公報
【発明の概要】
【発明が解決しようとする課題】
【０００４】
ところで、近年においては、収容される液体の液量をさらに視認し易い液体収容体が求められている。
本発明は、上記実情に鑑みてなされたものであり、その目的は、液体収容体に収容される液体の液量に対する視認性をさらに向上できる液体収容体を提供することにある。
【課題を解決するための手段】
【０００５】
以下、上記課題を解決するための手段及びその作用効果について記載する。
上記課題を解決する液体収容体は、液体を収容可能な液体収容部と、前記液体収容部における外装の一部を構成する面であって、前記液体収容部外から前記液体収容部内を視認可能な視認面と、前記視認面を介して視認可能に設けられ、前記液体収容部内に収容される液体の色とは異なる色相の色を呈している異色部材と、を備える。
【０００６】
この構成によれば、視認面を介して液体収容部内に収容されている液体の液量を確認する際、液体と異色部材とのコントラストにより液体収容部内に収容されている液体の液面位置が見易い。したがって、液体収容体に収容される液体の液量に対する視認性をさらに向上できる。
【０００７】
上記液体収容体において、前記異色部材は、少なくとも前記視認面と対向する側の面に光沢を有することが好ましい。
この構成によれば、光沢を有しない異色部材を設ける構成と比較して、光沢を有する異色部材は、光をよく反射するため、液体収容部内に収容される液体の液面位置を確認し易くできる。
【０００８】
上記液体収容体において、前記異色部材は、少なくとも前記視認面と対向する側の面が湾曲していることが好ましい。
この構成によれば、異色部材が平坦な構成と比較して、視認面の正面からずれた位置で液体収容部内を見た場合でも、湾曲した面を有する異色部材により液体の液面位置を確認し易くできる。
【０００９】
上記液体収容体において、前記異色部材は、前記視認面に対して交差するように延びる面を有することが好ましい。
この構成によれば、異色部材が視認面に対して傾いた面を有するため、視認面の正面からずれた位置で液体収容部内を見た場合でも、異色部材により液体の液面位置を確認し易くできる。
【００１０】
上記液体収容体において、前記異色部材は、前記視認面と平行に設けられていることが好ましい。
この構成によれば、視認面の正面から液体収容部内を見た場合に、異色部材により液体の液面位置を確認し易くできる。
【００１１】
上記液体収容体において、前記異色部材は、前記液体収容部内に設けられていることが好ましい。
この構成によれば、異色部材を液体収容部外に設ける構成と比較して、視認面を介して視認される異色部材の視認性を向上できる。
【００１２】
上記液体収容体において、前記異色部材は、前記液体収容部外に設けられていることが好ましい。
この構成によれば、異色部材を液体収容部内に設ける構成と比較して、液体収容部内の空間の大きさや形状に限定されないため、自由度の高い異色部材を設けることができる。
【００１３】
上記液体収容体において、前記異色部材は、前記液体収容部と別体に設けられることが好ましい。
この構成によれば、一体で設ける構成と比較して、形状や色などにおいて自由度の高い異色部材を設けることができる。
【００１４】
上記液体収容体において、前記液体収容部は、前記異色部材が取り付けられる取付部を有することが好ましい。
この構成によれば、異色部材を容易に取り付けることができる。
【００１５】
上記液体収容体において、前記異色部材は、前記液体収容部と一体に設けられることが好ましい。
この構成によれば、別体で設ける構成と比較して、製造コストを低減できる。
【００１６】
上記液体収容体において、前記異色部材は、鉛直方向において、少なくとも前記視認面の上端から下端に亘って長尺に設けられていることが好ましい。
この構成によれば、鉛直方向において、視認面を正面から見た際に、視認面を介して視認される液体の最大液量及び最小液量における液面位置が確認できる。
【００１７】
上記課題を解決する印刷装置は、液体を用いて媒体に印刷を行う印刷部と、前記印刷部に供給される液体を収容可能な液体収容部及び、前記液体収容部における外装の一部を構成する面であって、前記液体収容部外から前記液体収容部内を視認可能な視認面を有する液体収容体と、前記視認面を介して視認可能に設けられ、前記液体収容部内に収容される液体の色とは異なる色相の色を呈している異色部材と、を備える。
【００１８】
この構成によれば、視認部を介して液体収容部内に収容されている液体の液量を確認する際、液体と異色部材とのコントラストにより液体収容部内に収容されている液体の液面位置が見易い。したがって、液体収容体に収容される液体の液量に対する視認性をさらに向上できる。
【００１９】
上記印刷装置において、前記異色部材は、前記印刷部を収容する筐体で構成されていることが好ましい。
この構成によれば、異色部材を筐体と兼ねることができるため、製造コストを低減できる。
【００２０】
上記印刷装置において、前記異色部材は、前記液体収容体を保持する液体収容体保持部で構成されていることが好ましい。
この構成によれば、異色部材を液体収容体保持部と兼ねることができるため、製造コストを低減できる。
【図面の簡単な説明】
【００２１】
【図１】実施形態における印刷装置を備える複合機を示す斜視図。
【図２】液体収容体の斜視図。
【図３】液体収容体の斜視断面図。
【図４】液体を収容している液体収容体の斜視図。
【図５】壁部材の変形例を示す液体収容体の斜視図。
【図６】壁部材の変形例を示す液体収容体の斜視図。
【図７】壁部材の変形例を示す液体収容体の斜視図。
【図８】壁部材の変形例を示す液体収容体の斜視図。
【図９】壁部材の変形例を示す液体収容体の斜視断面図。
【図１０】壁部材の変形例を示す液体収容体の斜視断面図。
【図１１】液体収容体の変形例を示す斜視図。
【図１２】異色部材の変形例を示す液体収容体の斜視図。
【図１３】異色部材の変形例を示す液体収容体の斜視図。
【図１４】液体収容体の変形例を示す斜視図。
【図１５】液体収容体の変形例を示す斜視図。
【図１６】異色部材の変形例を示す印刷装置及び液体収容体の斜視図。
【図１７】異色部材の変形例を示す印刷装置及び液体収容体の斜視図。
【図１８】変形例の印刷装置を備える複合機を概略的に示す斜視図。
【図１９】図１８における印刷装置の筐体内を概略的に示す斜視図。
【発明を実施するための形態】
【００２２】
以下、印刷装置の一種であるインクジェット式プリンターを備える複合機について図を参照して説明する。
図１に示すように、複合機１１は、媒体の一例である用紙Ｐに印刷を行う印刷装置１２と、鉛直方向において印刷装置１２の上部に設けられる画像読取装置１３とを含んで構成されている。画像読取装置１３は、載置台１４に載置された原稿に記録されている画像を読み取り可能に設けられている。印刷装置１２は、一側面（図１において左前方を向いた面）に開口部１５が形成された直方体状の筐体１６を備え、筐体１６の内部には、用紙Ｐに対して液体の一例であるインクを吐出することで文字や写真等の画像の印刷を行う印刷部１７が設けられている。なお、筐体１６において開口部１５が形成されている側を印刷装置１２の前面側、その反対側を背面側とする。
【００２３】
印刷部１７は、筐体１６の長手方向と一致する走査方向（印刷装置１２の背面から前面へ向かう方向と交差する方向）に沿って往復移動可能なキャリッジ１８と、鉛直方向においてキャリッジ１８の下面に取り付けられたヘッド１９とを備えている。ヘッド１９には、不図示のノズルが複数設けられ、ノズルからはそれぞれ対応するインクが吐出される。すなわち、印刷部１７は、用紙Ｐに対してインクを吐出するヘッド１９が、キャリッジ１８によって走査方向に沿って移動されることで、走査方向に亘って印刷を行う。
【００２４】
筐体１６において開口部１５の下側には、用紙Ｐが積層された状態で載置される用紙カセット２０が筐体１６に対して挿抜可能に設けられている。また、開口部１５には、印刷装置１２の前方に向けて開口部１５から引き出し可能な排出トレイ２１が設けられている。すなわち、印刷装置１２は、用紙カセット２０に載置された用紙Ｐを印刷装置１２の背面から前面に向けて一枚ずつ搬送し、印刷部１７が用紙Ｐに画像を印刷した後、排出トレイ２１に向けて開口部１５から用紙Ｐを筐体１６外へ排出する。ここで、用紙Ｐが搬送される搬送方向は、印刷装置１２の背面から前面に向かう方向と一致し、キャリッジ１８の移動方向である走査方向と交差する。そして、複合機１１には、開口部１５の上側となる位置に、印刷装置１２及び画像読取装置１３を操作するために使用される操作部２２が前方に向けて突出するように設けられている。なお、走査方向、搬送方向、及び鉛直方向は、互いに交差する関係にある。
【００２５】
印刷装置１２の筐体１６において走査方向における一方の側面（図１において右側の面）には、液体収容体保持部３０が取り付けられている。液体収容体保持部３０は、印刷部１７が用紙Ｐに対して吐出するインクを収容する液体収容体４０を複数保持している。液体収容体保持部３０に保持される複数の液体収容体４０は、搬送方向に沿って並ぶように配置され、それぞれ異なる色のインクを収容している。本実施形態においては、四個の液体収容体４０が液体収容体保持部３０に保持されていて、搬送方向において最も下流側に位置する液体収容体４０は、他の三個と比較して大容量のものとなっている。そして、これらの四個の液体収容体４０には、例えば、シアン、マゼンタ、イエロー、ブラックの四色のインクが収容されていて、搬送方向において最も下流側に位置する大容量の液体収容体４０には、使用頻度の高いブラックのインクが収容されている。
【００２６】
また、液体収容体保持部３０には、保持している液体収容体４０の一部をそれぞれ露出させる露出部３１が設けられている。この露出部３１は、液体収容体保持部３０の外装において矩形状に開口し、液体収容体４０の一部が液体収容体保持部３０外から視認可能となるように露出させている。一方、液体収容体４０は、その液体収容体４０の一面を構成し、液体収容体４０が収容するインクの液量を視認可能にする視認面４１を備えている。そして、液体収容体４０は、この視認面４１が露出部３１から露出する態様で液体収容体保持部３０に保持されている。すなわち、露出部３１及び視認面４１により、液体収容体保持部３０外から、液体収容体４０に収容されているインクの液量が視認可能とされている。また、液体収容体４０は、液体収容体４０内にインクを注入可能とする注入口４２を備えている。この注入口４２は、鉛直方向において上向きに突出し、液体収容体保持部３０から露出されている。また、この注入口４２には、注入口４２を閉栓可能な栓４２ａが設けられ、液体収容体４０内にインクを注入する際には、栓４２ａが注入口４２から取り外される。
【００２７】
液体収容体保持部３０に保持される液体収容体４０には、インクが流れる供給チューブ２３が接続されている。この供給チューブ２３は、その一端が液体収容体４０に接続され、その他端が印刷部１７に接続されている。すなわち、液体収容体４０に収容されるインクは、液体収容体保持部３０から筐体１６内を延びる供給チューブ２３によってヘッド１９を通じてそれぞれ対応するノズルに供給される。なお、供給チューブ２３は、液体収容体４０に対してそれぞれ一本ずつ接続されているが、図１においては、図の簡略化のために一本だけ図示している。
【００２８】
図２及び図３に示すように、液体収容体４０は、箱形状をなす樹脂製の容器であって、その内部にインクを収容可能な容器、所謂インクタンクとして構成されている。すなわち、液体収容体４０は、インクが収容される液体収容室４３を内部に備える液体収容部４４を有している。そして、この液体収容体４０は、鉛直方向において液体収容部４４の上面から上向きに延びるように設けられた注入口４２によって、液体収容部４４の内外が連通されている。すなわち、この注入口４２を介することで、液体収容室４３にインクが注入される。
【００２９】
また、液体収容部４４の外装を構成する一部の面（図２において左側の面）には、透明なプラスチック等の透明部材で構成されることで視認面４１が設けられている。すなわち、液体収容体４０は、透明部材で構成される視認面４１を介して液体収容部４４外から液体収容部４４内（液体収容室４３）が視認可能となるよう設けられている。また、この視認面４１には、液体収容室４３が収容するインクの好ましい上限量を示す上限目盛４５が形成されている。ここで、説明の便宜上、視認面４１が設けられる側を液体収容体４０の前面側、その反対側を液体収容体４０の背面側と呼称し、液体収容体４０の背面から前面に向かう方向及び鉛直方向の双方と交差する方向を液体収容体４０の左右方向と呼称する。
【００３０】
また、液体収容体４０は、注入口４２とは別に液体収容部４４内を液体収容部４４外（大気）と連通する大気連通経路４６を備えている。大気連通経路４６は、液体収容部４４内に設けられる複数の空気室４７、蛇行経路４８、及び液体収容部４４の外装に開口する不図示の大気連通孔から構成されている。すなわち、複数の空気室４７と蛇行経路４８とが液体収容部４４内において連通している。この大気連通経路４６は、液体収容室４３に収容されたインクが印刷部１７に供給されることに伴って、液体収容室４３が負圧になることを抑制する。液体収容室４３が負圧になると、印刷部１７へのインクの供給が滞る虞があるが、液体収容室４３が大気と連通される構成があれば、そのような虞が低減される。なお、液体収容室４３及び大気連通経路４６の内部が露出する液体収容体４０の一側面（すなわち視認面４１を正面視した際における左右方向の右側面）には、不図示のシート部材が熱溶着により取り付けられることで、封止されている。また、液体収容室４３の底面は、液体収容体４０の前面側から背面側に向かうにつれて下方に傾斜する傾斜面となっている。
【００３１】
また、液体収容体４０は、液体収容部４４内（液体収容室４３）において、視認面４１と対向する（本実施形態においては平行になる）よう設けられた板状の壁部材４９を備えている。この壁部材４９は、液体収容部４４内において注入口４２よりも液体収容体４０の背面側となる位置に設けられ、液体収容部４４の上部から下方に向けて延びている。すなわち、壁部材４９は、液体収容部４４と一体的に設けられている。また、壁部材４９は、鉛直方向において、壁部材４９の上端が視認面４１の上端よりも上方、壁部材４９の下端が視認面４１の下端よりも下方に位置するよう長尺に設けられている。なお、壁部材４９は、液体収容部４４内を二つの領域に分断しないように、液体収容部４４内において液体収容室４３の底面、及びシート部材が熱溶着される側とは反対側となる側面（すなわち視認面４１を正面視した際における左右方向の左側面）に対して寸足らずとなる態様で設けられている。すなわち、壁部材４９は、鉛直方向及び左右方向における寸法が、液体収容室４３の内寸よりもやや小さくなるよう設けられている。
【００３２】
また、この壁部材４９は、視認面４１と対向する側の面に光沢を有し、且つ液体収容体４０が収容する予定のインクの色とは異なる色相の色を呈している。すなわち、壁部材４９は、光沢性のよい樹脂で構成され、液体収容体４０が収容するインクの色とは異なる色相の色を呈する異色部材として機能する。本実施形態においては、四個の液体収容体４０がそれぞれ収容するインクの色がシアン、マゼンタ、イエロー、ブラックであるため、例えば壁部材４９がホワイト（白色）を呈している構成とすれば、壁部材４９は、何れの液体収容体４０においても異色部材として機能可能である。
【００３３】
ここで、印刷装置１２において、印刷部１７が吐出するインクの色は、ヘッド１９が有するノズルごとに予め決められていることが専らである。そのため、供給チューブ２３により印刷部１７と連結される液体収容体４０に収容されるインクの色もまた、各ノズルが吐出予定のインクの色に対応するよう予め決められていることが一般的である。すなわち、液体収容体４０が収容する予定のインクの色と異なる色相の色を呈している壁部材４９を予め液体収容部４４内に設けることが可能とされている。
【００３４】
次に、上記のように構成された複合機１１が備える印刷装置１２の作用について、特に液体収容体４０に注目して説明する。
図４に示すように、注入口４２を介して液体収容体４０にインクを注入すると、液体収容室４３にインクが収容される。収容されたインクは、液体収容室４３において水平面に沿うインクの液面を形成する。そして、液体収容室４３に収容されているインクの液量を確認する際には、視認面４１を介して液体収容室４３におけるインクの液面位置を見ることにより確認される。すなわち、鉛直方向におけるインクの液面位置が、液体収容室４３に収容されているインクの液量を示す指標となる。このとき、液体収容体４０の視認面４１の透明度や、複合機１１の使用環境（例えば周囲の明るさが十分ではない暗所での使用など）によっては、液体収容体４０が収容するインクの液面位置が、視認面４１から見難いことが有り得る。液体収容室４３に収容されているインクの液面位置が見難い場合、ユーザーがインクの液量を正しく確認できない虞がある。そこで、本実施形態における液体収容体４０は、収容されるインクの色とは異なる色相の色を呈している異色部材としての壁部材４９を備えている。
【００３５】
液体収容体４０がインクを収容する状態において、液体収容部４４内に配置される壁部材４９は、その下側の部分がインクに浸かった状態となっている。そして、ユーザーが液体収容体４０に収容されるインクの液量を確認する際には、視認面４１を介してインクと壁部材４９とが視認される。ここで、壁部材４９は、インクの色と異なる色相の色を呈しているため、そのコントラストによりユーザーに視認され易い。すなわち、視認面４１を介して液体収容体４０に収容されるインクの液量を確認する際に、収容されているインクの色と異なる色の壁部材４９が背景として機能するため、インクの液面位置が確認し易い。
【００３６】
また、壁部材４９は、視認面４１と対向する側の面に光沢を有しているため、液体収容室４３に入射された光が反射され易く、より視認され易い。また、壁部材４９は、鉛直方向において視認面４１の上端から下端に亘って長尺に設けられているため、液体収容室４３に収容されるインクの液面位置が、視認面４１の上端と下端との間となる範囲に位置している限り、壁部材４９はインクに浸かっている状態が保たれる。そのため、本実施形態における液体収容体４０は、視認面４１を正面から見た際に視認されるインクの最大液量における液面位置及び、最小液量における液面位置を確認可能である。さらに、壁部材４９は、液体収容部４４内の領域を分断していないため、液体収容室４３において壁部材４９の前面側と背面側とでインクの流れが滞ることがなく、壁部材４９の前面側となる領域と背面側となる領域とでインクの液面位置が異なってしまう虞がない。
【００３７】
上記実施形態によれば、以下のような効果を得ることができる。
（１）視認面４１を介して液体収容部４４内に収容されているインクの液量を確認する際、インクと異色部材（壁部材４９）とのコントラストにより液体収容部４４内に収容されているインクの液面位置が見易い。したがって、液体収容体４０に収容されるインクの液量に対する視認性をさらに向上できる。
【００３８】
（２）光沢を有しない異色部材（壁部材４９）を設ける構成と比較して、光沢を有する異色部材（壁部材４９）は、光をよく反射するため、液体収容部４４内に収容されるインクの液面位置を確認し易くできる。
【００３９】
（３）視認面４１に対向する異色部材（壁部材４９）を視認面４１と平行に設けることで、視認面４１の正面から液体収容部４４内を見た場合に、異色部材（壁部材４９）により液体の液面位置を確認し易くできる。
【００４０】
（４）異色部材（壁部材４９）を液体収容部４４内に設けることで、液体収容部４４外に設ける構成と比較して、視認面４１を介して視認される異色部材（壁部材４９）の視認性を向上できる。
【００４１】
（５）異色部材（壁部材４９）を液体収容部４４と一体に設けることで、別体で設ける構成と比較して、製造コストを低減できる。
（６）鉛直方向において、視認面４１を正面から見た際に、視認面４１を介して視認されるインクの最大液量及び最小液量における液面位置が確認できる。
【００４２】
（７）視認面４１に上限目盛４５を設けることで、注入口４２を介して液体収容室４３にインクを注入する際、入れ過ぎてしまう虞を低減できる。
なお、上記実施形態は以下のように変更してもよい。また、上記実施形態に対して以下の変更例は、適宜組み合わせてもよい。
【００４３】
・図５に示すように、上記実施形態において、異色部材として機能する壁部材４９は、視認面４１と対向する側の面が、鉛直方向に亘って液体収容体４０の前面に向けて湾曲するように設けられる構成であってもよい。また、左右方向に亘って湾曲する構成であってもよいし、液体収容体４０の背面に向けて湾曲する構成であってもよい。
【００４４】
この構成によれば、上記実施形態の効果に加えて以下の効果が得られる。
（８）異色部材（壁部材４９）が平坦な構成と比較して、視認面４１の正面からずれた位置、例えば斜め上方や斜め下方となる位置で液体収容部４４内を見た場合でも、湾曲した面を有する異色部材（壁部材４９）によりインクの液面位置を確認し易くできる。
【００４５】
・図６に示すように、上記実施形態において、異色部材として機能する壁部材４９は、複数設けられていてもよい。また、壁部材４９は、視認面４１に対して平行に設けられる構成に限らず、視認面４１に対して交差するよう延びる面を有する構成であってもよい。
【００４６】
また、図７に示すように、壁部材４９は、視認面４１と対向する側の面が、視認面４１に対して交差するよう延びる面を複数有するように、蛇腹状をなす構成であってもよい。
この構成によれば、上記実施形態の効果に加えて以下の効果が得られる。
【００４７】
（９）異色部材（壁部材４９）が視認面４１に対して傾いた面を有するため、視認面４１の正面からずれた位置、例えば左右方向においてずれた位置で液体収容部４４内を見た場合でも、異色部材（壁部材４９）によりインクの液面位置を確認し易くできる。
【００４８】
・図８に示すように、上記実施形態において、異色部材として機能する壁部材４９は、その上部となる一部分が液体収容体４０の前面に向けて屈曲する屈曲部５１を有する構成であってもよい。屈曲部５１を有するこの壁部材４９は、屈曲部５１が注入口４２の直下に位置するように配置されている。すなわち、液体収容体４０にインクを注入する際、注入口４２から注入されたインクが、まず屈曲部５１に接触し、その後に壁部材４９の背面側を伝って液体収容室４３に収容される。
【００４９】
この構成によれば、上記実施形態の効果に加えて以下の効果が得られる。
（１０）液体収容体４０にインクを注入する際に、インクが飛び散ることで視認面４１に付着し、インクの液面位置が見難くなってしまう虞を低減できる。また、インクを注入する際に液面が波立ってしまい、液量が確認し難くなる虞を低減できる。
【００５０】
・図９に示すように、上記実施形態において、異色部材として機能する壁部材４９は、視認面４１の代わりに上限目盛４５を有する構成でもよい。また、壁部材４９は、液体収容体４０が収容する予定のインクの種別（型番）を表示した種別表示部５２を備えてもよい。
【００５１】
この構成によれば、上記実施形態の効果に加えて以下の効果が得られる。
（１１）視認面４１に上限目盛４５を設けない構成とすることで、視認面４１をより透明度の高い構成とすることができる。
【００５２】
（１２）種別表示部５２により、液体収容体４０にインクを注入する際、異なる種別のインクを注入してしまう虞を低減できる。
・図１０に示すように、上記実施形態において、異色部材として機能する壁部材４９は、鉛直方向下側に向けて先細り、すなわち左右方向における幅が徐々に小さくなるように傾斜する構成でもよい。また、収容されるインクの液量を示す目盛５３を段階的に備えてもよいし、収容する予定のインクの色を表示する色表示部５４を備えてもよい。なお、図１０における色表示部５４は、マゼンタの頭文字である「Ｍ」を表示している。
【００５３】
この構成によれば、上記実施形態の効果に加えて以下の効果が得られる。
（１３）壁部材４９を鉛直方向下側に向けて先細りとなる形状にすることで、視覚的にインクの液量を把握し易くできる。
【００５４】
（１４）壁部材４９が目盛５３を有することで、より正確にインクの液量を確認することができる。
（１５）色表示部５４により、液体収容体４０にインクを注入する際、異なる色のインクが混じってしまう虞を低減できる。
【００５５】
・図１１に示すように、上記実施形態において、異色部材として機能する壁部材４９は、液体収容体４０に対して別体で設けられていてもよい。また、その際には、壁部材４９を取り付け可能な取付部５５が、液体収容部４４内に設けられていることが好ましい。図１１に示す変形例においては、壁部材４９が係合可能となるスリット溝を有する取付部５５が設けられている。また、取付部５５を液体収容部４４外に設けてもよく、収容されるインクの色に合わせて壁部材４９を取替可能な構成としてもよい。
【００５６】
この構成によれば、上記実施形態の効果に加えて以下の効果が得られる。
（１６）一体で設ける構成と比較して、形状や色などにおいて自由度の高い異色部材（壁部材４９）を設けることができる。
【００５７】
（１７）取付部５５により、例えば接着剤等で液体収容部４４に取り付ける場合と比べて、異色部材（壁部材４９）を容易に取り付けることができる。
・図１２に示すように、上記実施形態において、異色部材は、壁部材４９に限らず例えば円柱状をなすポール５６であってもよい。このポール５６は鉛直方向に延びるようにして複数並んで設けられている。なお、円柱状に限らず角柱状であってもよいし、液体収容室４３において無秩序的に乱立して設けられていてもよい。異色部材の形状は、特に限定されない。
【００５８】
・図１３に示すように、上記実施形態において、液体収容体４０は、壁部材４９を備えず、液体収容部４４における背面を構成する内装面５７が異色部材として機能する構成でもよい。この構成によれば、別途新たに壁部材４９を設けることなくインクの液量に対する視認性を向上できる。
【００５９】
・図１４に示すように、上記実施形態において、異色部材として機能する壁部材４９は、液体収容部４４外に設けられる構成でもよい。このような構成においては、液体収容部４４の背面の一部が透明部材で構成されることで視認面４１が設けられている。そして、液体収容部４４における前面側と背面側の二枚の視認面４１を介して視認可能となるように壁部材４９が液体収容部４４外に設けられている。
【００６０】
この構成によれば、上記実施形態の効果に加えて以下の効果が得られる。
（１６）異色部材（壁部材４９）を液体収容部４４内に設ける構成と比較して、液体収容部４４内の空間の大きさや形状に限定されないため、自由度の高い異色部材（壁部材４９）を設けることができる。
【００６１】
・図１５及び図１６に示すように、上記実施形態においては、液体収容体保持部３０の一面を異色部材として機能させる構成でもよい。図１５に示すように、液体収容体４０は、液体収容部４４における背面の一部が透明部材で構成されることで視認面４１が設けられている。そして、図１６に示すように、このような液体収容体４０を保持する液体収容体保持部３０は、印刷装置１２の筐体１６に取り付けられ、液体収容体保持部３０の背面を構成する取付面３２が、異色部材として構成されている。すなわち、液体収容部４４における前面側と背面側の二つの視認面４１を介して、異色部材として機能する液体収容体保持部３０の取付面３２が視認可能に設けられている。
【００６２】
この構成によれば、上記実施形態の効果に加えて以下の効果が得られる。
（１７）異色部材を液体収容体保持部３０と兼ねることができるため、製造コストを低減できる。
【００６３】
・図１５及び図１７に示すように、上記実施形態においては、印刷装置１２の筐体１６の一部を異色部材としてもよい。印刷装置１２における筐体１６の側面２５には、液体収容部４４における背面に視認面４１が設けられた液体収容体４０が、筐体１６の側面２５に沿って並んで配置されている。液体収容体４０は、二枚の視認面４１を介して筐体１６の側面２５が視認可能となる態様で配置されている。そして、この筐体１６の側面２５が、液体収容体４０が収容するインクとは異なる色を呈する異色部材として構成されている。
【００６４】
この構成によれば、上記実施形態の効果に加えて以下の効果が得られる。
（１８）異色部材を筐体１６と兼ねることができるため、製造コストを低減できる。
・図１５、図１８及び図１９に示すように、上記実施形態においては、液体収容体４０が印刷装置１２の筐体１６内に配置される構成であってもよい。液体収容部４４の前面及び背面が視認面４１とされた液体収容体４０は、筐体１６内において、開口部１５と隣り合う位置に配置されている。換言すると、液体収容体４０は、印刷装置１２の搬送方向下流側であって、且つ走査方向において一端側（図１８及び図１９において右側）となる筐体１６の角となる位置に配置されている。そして、筐体１６には外装の一部であって、液体収容体４０の前面を覆うカバー６１が開閉可能に設けられている。すなわち、このカバー６１が開けられることで、液体収容体４０の前面に設けられた視認面４１が露出される。また、筐体１６内に配置される液体収容体４０の背面側には、筐体１６に固定された板部材６２が設けられている。すなわち、この板部材６２が異色部材として機能する。
【００６５】
・上記実施形態において、異色部材として機能する壁部材４９は、樹脂以外の材料、例えば金属などで構成されていてもよい。金属で構成することで、壁部材４９に金属光沢を付与することができる。
【００６６】
・上記実施形態において、異色部材として機能する壁部材４９は、例えばラメを埋め込んだり表面処理をしたりするなどして光沢を付与する構成であってもよい。
・上記実施形態において、異色部材として機能する壁部材４９は、液体収容体４０ごとにそれぞれ色が異なる構成でもよい。
【００６７】
・上記実施形態において、視認面４１は、プラスチックに限らず、例えばガラス等で構成されていてもよい。
・上記実施形態において、液体収容体４０は、液体収容部４４の前面のすべてが透明部材で構成されてもよいし、液体収容部４４全体が透明部材で構成されてもよい。この構成によれば、液体収容部４４外から液体収容部４４内に光が入射され易いため、より液面位置を確認し易くできる。
【００６８】
・上記実施形態において、視認面４１及び壁部材４９ともに上限目盛４５を設けなくともよい。
・上記実施形態において、液体収容体４０は、インクを注入可能な注入口４２を有するインクタンクに限らず、例えば取替式のインクカートリッジであってもよい。
【００６９】
・上記実施形態において、液体収容部４４に取り付けられるシート部材は、熱溶着に限らず例えば接着剤等を介して取り付けられる構成でもよい。
・上記実施形態において、印刷部１７は、走査方向に移動するシリアルヘッド方式に限らず、用紙Ｐの搬送方向と交差する方向に長尺に設けられるラインヘッド方式であってもよい。
【００７０】
・上記実施形態において、印刷装置は、インク以外の他の流体（液体や、機能材料の粒子が液体に分散又は混合されてなる液状体、ゲルのような流状体を含む）を噴射したり吐出したりする流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射する液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００７１】
１２…印刷装置、１６…筐体、１７…印刷部、３０…液体収容体保持部、４０…液体収容体、４１…視認面、４２…注入口、４３…液体収容室、４４…液体収容部、４５…上限目盛、４６…大気連通経路、４７…空気室、４８…蛇行経路、４９…壁部材（異色部材）、５５…取付部、Ｐ…用紙。
【図１】
0006780237.tif 000002
【図２】
0006780237.tif 000003
【図３】
0006780237.tif 000004
【図４】
0006780237.tif 000005
【図５】
0006780237.tif 000006
【図６】
0006780237.tif 000007
【図７】
0006780237.tif 000008
【図８】
0006780237.tif 000009
【図９】
0006780237.tif 000010
【図１０】
0006780237.tif 000011
【図１１】
0006780237.tif 000012
【図１２】
0006780237.tif 000013
【図１３】
0006780237.tif 000014
【図１４】
0006780237.tif 000015
【図１５】
0006780237.tif 000016
【図１６】
0006780237.tif 000017
【図１７】
0006780237.tif 000018
【図１８】
0006780237.tif 000019
【図１９】
0006780237.tif 000020